(57)【要約】【課題】複数の遊技機の入賞率の調整を効率的に行うことが可能な遊技島設備を提供する。【解決手段】本発明に係る遊技島設備は、複数のパチンコ遊技機１２ａ〜１２ｆを列設することが可能な遊技島設備２ｂにおいて、列設された複数のパチンコ遊技機１２ａ〜１２ｆを連結する連結部材４０と、連結部材４０の傾斜角度を前後方向に調整可能な角度モータと、遊技島設備２ｂに対応して設けられ、当該遊技島設備２ｂにおける連結部材４０の傾斜角度を表示する表示装置５を有する管理コンピュータ４とを備えたことを特徴とする。【選択図】図２
2008099839.tif 000002
【特許請求の範囲】
【請求項１】
複数の遊技機を列設することが可能な遊技島設備において、
前記列設された複数の遊技機を連結する連結部材と、
前記連結部材の傾斜角度を前後方向に調整可能な調整機構とを備えた、
ことを特徴とする遊技島設備。
【請求項２】
前記各遊技機は、前記連結部材に対する傾斜角度を、個別に調整可能に前記連結部材に連結された、
ことを特徴とする請求項１記載の遊技島設備。
【請求項３】
前記各遊技島設備にそれぞれ対応して設けられ、当該遊技島設備における前記連結部材の傾斜角度を表示する表示部を有する管理コンピュータを備えた、
ことを特徴とする請求項１または２に記載の遊技島設備。
【請求項４】
前記表示部は、前記連結部材に連結された各遊技機の傾斜角度を表示する、
ことを特徴とする請求項３記載の遊技島設備。
【請求項５】
前記表示部は、前記連結部材に対する各遊技機の傾斜角度を表示する、
ことを特徴とする請求項３または４に記載の遊技島設備。
【請求項６】
前記各遊技機は、当該遊技機における傾斜角度を表示する遊技機表示部を備えた、
ことを特徴とする請求項１〜５の何れか一項に記載の遊技島設備。
【発明の詳細な説明】
【技術分野】
【０００１】
本発明は、複数の遊技機を列設する遊技島設備に関し、特に遊技機の入賞率等の調整を行うことが可能な遊技島設備に関する。
【背景技術】
【０００２】
従来より、遊技島設備に設置されるパチンコ遊技機における入賞球の発生確率、即ち、入賞率の調整は、一般的に営業終了時に管理コンピュータによって算出される管理データを見ながら釘師といわれる専門の技術者が入賞装置の近傍に植立される障害釘の間隔等を調整することにより行っていた。しかし、このような調整を行うためには、長年の経験を必要とし、誰でも容易に調整できない欠点を有していた。このような欠点を解決するために、パチンコ遊技機を設置する設置枠を遊技島設備に対して揺動可能に支持し、その設置枠を、調整ナットやボルトを介して管理コンピュータからの駆動信号に基づいて駆動させることで、遊技機における遊技島設備に対する設置角度を自動的に調整する技術が考え出されている（例えば、特許文献１参照）。
【０００３】
さらに、内部にパチンコ遊技機を嵌め込む取付枠を、前後方向に傾斜調節可能に固定する技術も考え出されている（例えば、特許文献２参照）。
【０００４】
特許文献１，２記載の技術によれば、遊技球の傾斜角度を調節するのみで、障害釘等の調整を行わなくとも遊技球の落下速度や入賞率等を簡単に変更することができる。
【特許文献１】特開平０５−１３１０６２号公報
【特許文献２】実開平０５−９５８６号公報
【発明の開示】
【発明が解決しようとする課題】
【０００５】
しかしながら、特許文献１，２の技術では、遊技島設備内のパチンコ遊技機を一台ずつ個別に調整しなければならないため、パチンコ遊技機の台数が多くなればなるほど、当該調整に手間がかかってしまう。
【０００６】
特に、多くのパチンコ遊技機を有するホール側にとっては、当該調整作業が非常に面倒であった。
【０００７】
そこで、本発明は、複数の遊技機の入賞率の調整を効率的に行うことが可能な遊技島設備を提供することを目的とする。
【課題を解決するための手段】
【０００８】
上記課題を解決するため、請求項１に記載の本発明の遊技島設備は、複数の遊技機（パチンコ遊技機１２ａ〜１２ｆ）を列設することが可能な遊技島設備（遊技島設備２ａ〜２ｆ）において、列設された複数の遊技機を連結する連結部材（連結部材４０）と、連結部材の傾斜角度を前後方向に調整可能な調整機構（角度モータ２６）とを備えたことを特徴とする。
【０００９】
本構成によれば、遊技島設備には、列設された複数の遊技機を連結する連結部材の傾斜角度を前後方向に調整可能な調整機構が備えられている。
【００１０】
この場合、当該調整機構により連結部材の傾斜角度を調整するのみで、複数の遊技機の傾斜角度を一気に調整することができるので、遊技島設備内の遊技機を一台ずつ個別に調整する手間を省くことができ、複数の遊技機の入賞率の調整を効率的に行うことが可能となる。
【００１１】
請求項２に記載の本発明は、請求項１に記載の発明の構成に加えて、各遊技機は、連結部材に対する傾斜角度を、個別に調整可能に連結部材に連結されたことを特徴とする。
【００１２】
本構成によれば、連結部材に連結された各遊技機は、連結部材に対する傾斜角度を、個別に調整することが可能となっているので、各遊技機の入賞率の微調整を効率的に行うことができる。
【００１３】
請求項３に記載の本発明は、請求項１または２に記載の発明の構成に加えて、各遊技島設備にそれぞれ対応して設けられ、当該遊技島設備における連結部材の傾斜角度を表示する表示部（表示装置５）を有する管理コンピュータ（管理コンピュータ４）を備えたことを特徴とする。
【００１４】
本構成によれば、連結部材の傾斜角度を、管理コンピュータの表示部にて視覚的に確認することができるので、遊技機の入賞率の調整をより効率的に行うことができる。
【００１５】
請求項４に記載の本発明は、請求項３に記載の発明の構成に加えて、表示部は、連結部材に連結された各遊技機の傾斜角度を表示することを特徴とする。
【００１６】
本構成によれば、遊技機における傾斜角度を、表示部にて視覚的に確認することができるので、遊技機の入賞率の調整をより効率的に行うことができる。
【００１７】
請求項５に記載の本発明は、請求項３または４に記載の発明の構成に加えて、表示部は、連結部材に対する各遊技機の傾斜角度を表示することを特徴とする。
【００１８】
本構成によれば、連結部材に対する各遊技機の傾斜角度を、表示部にて視覚的に確認することができるので、各遊技機の入賞率の微調整をより効率的に行うことができる。
【００１９】
請求項６に記載の本発明は、請求項１〜５の何れか一項に記載の発明の構成に加えて、各遊技機は、当該遊技機における傾斜角度を表示する遊技機表示部（遊技機表示装置１３）を備えたことを特徴とする。
【００２０】
本構成によれば、遊技機における傾斜角度を、当該遊技機における遊技機表示部にて視覚的に確認することができるので、各遊技機の入賞率の調整をより効率的に行うことができる。
【発明の効果】
【００２１】
本発明によれば以下の効果を奏することができる。
【００２２】
すなわち、本発明によれば、複数の遊技機の入賞率の調整を効率的に行うことが可能な遊技島設備を提供することが可能となる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
まず、図１を参照して本実施の形態に係る遊技島設備２が設置されるパチンコ遊技場１について説明する。
【００２５】
図１は、パチンコ遊技場１の概略平面図である。パチンコ遊技場１には、複数の遊技島設備２（２ａ〜２ｆ）が並列状に設置されている。各遊技島設備２ａ〜２ｆには、それぞれ、当該遊技島設備における後述する連結部材４０の傾斜角度を設定する管理コンピュータ４が配置されている。
【００２６】
また、パチンコ遊技場１には、遊技者が獲得した景品玉と所望の景品とを交換する景品交換場１０も設けられている。
【００２７】
次に、図２乃至図６を参照して遊技島設備２ｂの構成について説明する。図２は、遊技島設備を示す斜視図、図３は、図２に示す遊技島設備からパチンコ遊技機を取り除いた状態を示す斜視図、図４は、図３に示す連結部材の傾斜角度を変更させた状態を示す斜視図、図５は、図４に示す支持板のうち一部の回動棒に対する回動角度を変更させた状態を示す斜視図である。なお、他の遊技島設備は、上記遊技島設備２ｂと同様の構成であるため説明を省略する。
【００２８】
図において、遊技島設備２ｂは、周知のように縦桟や横桟等の部材を骨組みとして内部が空洞の左右に長い直方体状に形成され、その長手方向の表面の下部に腰板７が張り付けられ、該腰板７の上部に外側に突出するカウンター台８が設けられている。カウンター台８の上部には、複数のパチンコ遊技機１２ａ〜１２ｆが列設されるようになっており、そのパチンコ遊技機１２ａ〜１２ｆの列設位置の上部に装飾板を兼用した幕板９が張り付けられている。幕板９には、各パチンコ遊技機１２ａ〜１２ｆに対応するように呼出装置１１が取り付けられている。そして、遊技島設備２ｂの端面側には、管理コンピュータ４が、表示装置（表示部）５および操作パネル６を露出させるようにして配置されている。また、この管理コンピュータ４は、不正操作を防ぐために、営業時間中において遊技島設備２ｂ内に隠すことができる位置、に配置されていることが望ましい。
【００２９】
また、遊技島設備２ｂにおける各パチンコ遊技機１２ａ〜１２ｆの左側には、貸玉を借り受ける台間玉貸機８１（プリペイドカード式又は硬貨投入式のいずれでも良い）が設置されるようになっているが、この台間玉貸機８１は、次に説明する設置枠２０にパチンコ遊技機１２ａ〜１２ｆと一緒に設置するようにすれば良い。
【００３０】
また、遊技島設備２ｂにおいて、パチンコ遊技機１２ａ〜１２ｆが列設された側の反対側は、当該パチンコ遊技機１２ａ〜１２ｆが列設された側と同様の構成となっているため、説明を省略する。
【００３１】
ところで、上記した遊技島設備２ｂの内部には、図示しないが、その下部に貯蔵タンクが設けられている。貯蔵タンクは、各パチンコ遊技機１２ａ〜１２ｆから排出される使用済玉や図示しない玉返却装置から返却された返却玉を貯蔵するものであり、原則的には、当該遊技島設備２ｂに列設されるパチンコ遊技機１２ａ〜１２ｆで使用されるに充分な玉を貯蔵できるようになっている。また、遊技島設備２ｂの内部には、前記貯蔵タンクに貯蔵された玉を上部に研磨しながら揚送する玉揚送装置と、該玉揚送装置によって揚送された玉を各パチンコ遊技機１２に分配補給する分配径路と、各パチンコ遊技機１２ａ〜１２ｆから排出された使用済玉を回収して前記貯蔵タンクに導く回収径路と、が設けられている。
【００３２】
上記した遊技島設備２ｂのカウンター台８と幕板９との間に列設されるパチンコ遊技機１２ａ〜１２ｆは、図２に示すように、各パチンコ遊技機１２ａ〜１２ｆの外形形状とほぼ同じ長方形状の枠を複数（本実施の形態では、６つ）一体的に形成した設置枠２０に収納されるようになっており、そして、当該パチンコ遊技機１２ａ〜１２ｆの背面側には、列設された複数のパチンコ遊技機１２ａ〜１２ｆを連結する連結部材４０が配置されるようになっている。また、各設置枠２０には、左右方向に貫通した孔である貫通孔２８が形成されている。
【００３３】
ここで、連結部材４０は、円柱状の回動棒４１（図６（ａ））と、当該回動棒４１に回動可能に取り付けられた四角形状の支持板４２ａ〜４２ｆとから構成されている（図６（ｂ）参照）。
【００３４】
この連結部材４０は、図２に示すように、遊技島設備２ｂに列設されるパチンコ遊技機１２ａ〜１２ｆの背面側と支持板４２ａ〜４２ｆの表面４３とがそれぞれ対抗するように、設置枠２０に設置される。
【００３５】
具体的には、各設置枠２０に形成された貫通孔２８に、回動棒４１（図６（ａ））を回動可能に挿入し、次に、上記支持板４２ａ〜４２ｆを当該回動棒４１に回動可能に取り付けることにより、連結部材４０が設置枠２０に設置される（図３参照）。
【００３６】
そして、パチンコ遊技機１２ａ〜１２ｆの背面側は、対向する支持板４２ａ〜４２ｆの表面４３側に、ネジ止めされて取り付けられて支持されるようになっている。そのため、パチンコ遊技機１２ａ〜１２ｆは、それぞれ支持板４２ａ〜４２ｆの角度の変化に応じて、その角度が変化する。
【００３７】
例えば、パチンコ遊技機１２ｂに取り付けられた支持板４２ｂの下端が所定の基準位置から３ｃｍ前方に突出してその傾斜角度が変化した場合、当該パチンコ遊技機１２ｂの下端も３ｃｍ前方に突出してその角度が変化する（図８（ａ），（ｂ）参照。ここで、図８（ａ），（ｂ）は、図２に示すパチンコ遊技機１２ｂのＡ−Ａ断面図である。
【００３８】
なお、本実施の形態におけるパチンコ遊技機１２ａ〜１２ｆの取付態様は、ネジ止めに限られず、対向する支持板４２ａ〜４２ｆの表面４３側にピン等により取り付けられるようになっていてもよいし、接着により取り付けられるようになっていてもよい。
【００３９】
また、図３に示す回動棒４１の両端は、遊技島設備２ｂに回動自在に軸支されている。なお、図３乃至図５においては、パチンコ遊技機１２ａ〜１２ｆの記載を省略している。
【００４０】
そして、この回動棒４１は、連結部材４０の傾斜角度を前後方向に調整可能な角度モータ（調整機構）２６の出力軸と連結されている。このため、角度モータ２６が回転駆動されることにより、上記出力軸が回転し、これによって、回動棒４１をＡ方向（時計周り）もしくはＢ方向（反時計周り）に回動せしめる。例えば、角度モータ２６の回転駆動により、回動棒４１をＢ方向に所定量回動させた場合には、当該回動棒４１の回動量に応じて、連結部材４０の傾斜角度が変化する。
【００４１】
この場合、支持板４２ａ〜４２ｆは、上記回動棒４１の回動量に応じて、その下端が前方に揺動し、その傾斜角度が変化する（図４参照。同図においては、支持板４２ａ〜４２ｆの下端が３ｃｍ前方に揺動し、その傾斜角度が変化している）。
【００４２】
そして、この場合、当該支持板４２ａ〜４２ｆに取り付けられるパチンコ遊技機１２ａ〜１２ｆの下端も前方に３ｃｍ揺動し、当該パチンコ遊技機１２ａ〜１２ｆの傾斜角度が変化する。すなわち、本実施の形態においては、調整機構である角度モータ２６を回転駆動させて連結部材４０の傾斜角度を調整するのみで、複数のパチンコ遊技機１２ａ〜１２ｆの傾斜角度を一気に調整することができ、遊技島設備２ｂ内のパチンコ遊技機を一台ずつ個別に調整する手間を省くことができる。
【００４３】
ここで、本実施の形態における連結部材４０の傾斜角度は、回動棒４１を、支持板４２ａ〜４２ｆの下端が３ｃｍ前方に突出する程度回動させている場合には３．０となり、回動棒４１を、支持板４２ａ〜４２ｆの下端が２ｃｍ後方に後退する程度回動させている場合には−２．０となる。
【００４４】
なお、状態を示していないが、当然のことながら角度モータ２６は、遊技島設備２ｂに対して固定されている。さらに、遊技島設備２ｂには、支持板４２ａ〜４２ｆの傾斜角度を前後方向に調整可能な支持板角度モータ２７ａ〜２７ｆ（図７）が、それぞれ支持板４２ａ〜４２ｆに対応して配置されている。
【００４５】
このため、支持板角度モータ２７ａ〜２７ｆが回転駆動されることにより、対応する支持板４２ａ〜４２ｆをＡ方向（時計周り）もしくはＢ方向（反時計周り）に回動せしめる。例えば、支持板４２ｃをＡ方向に回動させるために支持板角度モータ２７ｃを回転駆動した場合には、当該回転駆動量に応じて、支持板４２ｃの下端が後方に回動し、当該支持板４２ｃの回動棒４１に対する回動角度が変化する（図５参照）。このように、本実施の形態においては、複数のパチンコ遊技機１２ａ〜１２ｆの傾斜角度を一気に調整するのみならず、各パチンコ遊技機の傾斜角度を個別に調整することもできるので、各パチンコ遊技機の傾斜角度を微調整することができる。
【００４６】
また、上述した角度モータ２６および支持板角度モータ２７ａ〜２７ｆは、遊技島設備２ｂに配置された管理コンピュータ４にモータ制御配線によって接続されている。
【００４７】
更に、遊技島設備２ｂには、各支持板４２ａ〜４２ｆの回動棒４１に対する回動角度を検出するための角度センサが複数設けられている。
【００４８】
具体的には、支持板４２ａの回動棒４１に対する所定の基準位置からの回動角度を検出するための角度センサとしては、角度センサ３４ａが、支持板４２ｂの回動棒４１に対する回動角度を検出するための角度センサとしては、角度センサ３４ｂが、支持板４２ｃ連結部材４０に対する回動角度を検出するための角度センサとしては、角度センサ３４ｃが、支持板４２ｄの回動棒４１に対する回動角度を検出するための角度センサとしては、角度センサ３４ｄが、支持板４２ｅの回動棒４１に対する回動角度を検出するための角度センサとしては、角度センサ３４ｅが、支持板４２ｆの回動棒４１に対する回動角度を検出するための角度センサとしては、角度センサ３４ｆが、それぞれ設けられている。
【００４９】
ここで、角度センサ３４ｂは、例えば、投受光方式の検出センサで構成され、複数の受光素子を支持板４２ｂの裏面４４側（図８）に設け、当該支持板４２ｂの裏面４４と対向する位置には、１つの投光素子を取り付けておけば良い。また、上記投光素子は、回動棒４１の回動量に応じてその角度が変化する位置、例えば、支持板４２ｂと対向して設けられ、回動棒４１の回動量に応じてその角度を傾斜させるように配置された板状部材や、回動棒４１自体に取り付けられることが望ましい。これにより、投光素子から発される光をいずれの受光素子が検出するかによって支持板４２ｂの回動棒４１に対する回動角度を検知することができる。なお、他の角度センサも同様の構成にて支持板の傾斜角度を検知できるようになっているため、説明を省略する。
【００５０】
また、角度センサを設けることなく、他の構成により支持板の角度を検知できるようにしてもよい。なお、本実施の形態における角度センサ３４ａ〜３４ｆも上記管理コンピュータ４にモータ制御配線によって接続されている。
【００５１】
しかして、上記した角度モータ２６、支持板角度モータ２７ａ〜２７ｆ、角度センサ３４ａ〜３４ｆと管理コンピュータ４との関係は、図７のブロック図に示されるようになっている。図７においては、一の遊技島設備２ｂに設けられる管理コンピュータ４と、角度モータ２６と、支持板角度モータ２７ａ〜２７ｆと、角度センサ３４ａ〜３４ｆとの関係について示している。また、他の遊技島設備２ｂ〜２ｆも、遊技島設備２ｂと同様の構成となっているため、説明を省略する。なお、図示における角度センサのうち括弧内の数値は、対応する支持板の回動棒４１に対する所定の基準位置からの回動角度を示すもので、連結部材４０に取り付けられた支持板４２ａ〜４２ｆ（図３参照）の下端が回動棒４１に対して所定の基準位置から３ｃｍ前方に突出したときに形成される回動角度を３．０と表示し、同様に回動棒４１に対してその下端が所定の基準位置から５ｃｍ後方に後退したときに形成される角度を−５．０と表示している。
【００５２】
なお、各パチンコ遊技機の傾斜角度は、連結部材４０の傾斜角度と、当該パチンコ遊技機を支持する支持板の回動棒４１に対する回動角度とを合算することにより求められる。
【００５３】
例えば、連結部材４０の傾斜角度が３．０、回動棒４１に対する支持板４２ｂの回動角度が０．０である場合のパチンコ遊技機１２ｂの傾斜角度は、３．０となる。また、連結部材４０の傾斜角度が３．０、回動棒４１に対する支持板４２ｂの回動角度が−５．０である場合のパチンコ遊技機１２ｂの傾斜角度は、−２．０となる。因みに、このパチンコ遊技機の傾斜角度の値が大きい方が一般的に入賞率が高くなる。
【００５４】
図７において、管理コンピュータ４には、表示装置（表示部）５および操作パネル６が設けられ、それぞれが管理コンピュータ４の制御回路３０に接続されている。また、各パチンコ遊技機１２ａ〜１２ｆには、遊技機表示装置（遊技機表示部）１３および制御回路１４が設けられており、各パチンコ遊技機１２ａ〜１２ｆにおける制御回路１４は、制御回路３０に接続されている。また、表示装置５および遊技機表示装置１３は、液晶パネル等から構成されている。そして、表示装置５は、遊技島設備２ｂにおける連結部材４０の傾斜角度（回動棒４１の傾斜角度）等を表示するものであり、操作パネル６は、角度モータ２６を回転駆動させるための操作が可能な操作部である。
【００５５】
上記した管理コンピュータ４の制御回路３０によって制御される動作について説明する。  まず、操作パネル６を操作することにより、遊技島設備２ｂにおける連結部材４０の傾斜角度（回動棒４１の傾斜角度）、支持板４２ａ〜４２ｆの回動棒４１に対する回動角度、パチンコ遊技機１２ａ〜１２ｆの傾斜角度等を表示装置５に表示させる（図９（ａ）に示す傾斜角度表示画面参照。同図においては、表示装置５に、連結部材４０の傾斜角度および支持板の回動角度が何れも０．０である旨が表示されている。ここで、図９における支持板Ａ〜Ｆは、それぞれ支持板４２ａ〜４２ｆを示しており、遊技機Ａ〜Ｆは、それぞれパチンコ遊技機１２ａ〜１２ｆを示している）。
【００５６】
ここで、例えば、連結部材４０の傾斜角度を、現時点の傾斜角度（表示装置５に表示された傾斜角度）から、所望の傾斜角度に設定するための操作を操作パネル６に対して行うと（例えば、０．０から３．０に設定するための操作を行う等）、制御回路３０によって、角度モータ２６の回転方向および回転時間が、上記設定された傾斜角度を基にして算出される。
【００５７】
そして、その後、角度モータ２６の回転駆動を開始させるために操作パネル６における図示しない角度用スイッチを操作すると、制御回路３０により、上記算出された回転方向を基に駆動信号が生成され、当該駆動信号が、遊技島設備２ｂにおける角度モータ２６に送信される。
【００５８】
この駆動信号を受けた角度モータ２６は、当該駆動信号に応じて回転駆動し、そして、この角度モータ２６の回転駆動に応じて回動棒４１が回動し、連結部材４０の傾斜角度が変化する。なお、この駆動信号の送信は、上記算出された回転時間の間、継続される（すなわち、角度モータ２６は、当該回転時間が経過したときに停止する）。
【００５９】
そして、制御回路３０は、連結部材４０の傾斜角度を算出し、当該算出した傾斜角度を表示装置５に表示させる（図９（ｂ）参照。同図においては、連結部材４０の傾斜角度が３．０となった旨が表示されている）。
【００６０】
ここで、連結部材４０の傾斜角度は、回動棒４１の回転方向、回転時間等を基にして、制御回路３０により算出される。
【００６１】
また、制御回路３０は、当該連結部材４０の傾斜角度と、支持板４２ａ〜４２ｆの回動棒４１に対する回動角度とを基にして、各パチンコ遊技機１２ａ〜１２ｆの傾斜角度を算出し、当該算出した傾斜角度を表示装置５に表示させる（図９（ｂ）参照。同図においては、パチンコ遊技機１２ａ〜１２ｆの傾斜角度が３．０となった旨が表示されている）。
【００６２】
このように、本実施の形態によれば、角度モータ２６によって連結部材４０の傾斜角度を調整するのみで、複数のパチンコ遊技機１２ａ〜１２ｆの傾斜角度を、一気に調整することができる。
【００６３】
また、本実施の形態のパチンコ遊技機１２ａ〜１２ｆは、連結部材４０に対する傾斜角度（すなわち、当該パチンコ遊技機を支持する支持板４２ａ〜４２ｆの、回動棒４１に対する回動角度）を個別に調整可能に当該連結部材４０に連結されている。そのため、以下の動作を行うことによって、各パチンコ遊技機１２ａ〜１２ｆの傾斜角度を、個別に調整することが可能である。
【００６４】
まず、操作パネル６を操作することにより、遊技島設備２ｂにおける連結部材４０の傾斜角度（回動棒４１の傾斜角度）、支持板４２ａ〜４２ｆの回動棒４１に対する回動角度、パチンコ遊技機１２ａ〜１２ｆの傾斜角度等を表示装置５に表示させる（図９（ｂ）に示す傾斜角度表示画面参照。同図においては、表示装置５に、連結部材４０の傾斜角度が３．０、支持板４２ａ〜４２ｆの回動棒４１に対する回動角度が０．０、パチンコ遊技機１２ａ〜１２ｆの傾斜角度が３．０である旨が表示されている）。
【００６５】
ここで、例えば、傾斜角度を変更したいパチンコ遊技機を支持する支持板の回動棒４１に対する回動角度を、所望の回動角度に設定するための操作を操作パネル６に対して行うと（例えば、パチンコ遊技機１２ｃを支持する支持板４２ｃの回動棒４１に対する回動角度を、０．０から−５．０に設定するための操作を行う等）、制御回路３０によって、支持板角度モータ２７ｃの回転方向および回転時間が、上記設定された回動角度を基にして算出される。
【００６６】
そして、その後、支持板角度モータ２７ｃの回転駆動を開始させるために操作パネル６における図示しない支持板角度用スイッチを操作すると、制御回路３０により、上記算出された回転方向を基に駆動信号が生成され、当該駆動信号が、遊技島設備２ｂにおける支持板角度モータ２７ｃに送信される。
【００６７】
この駆動信号を受けた支持板角度モータ２７ｃは、当該駆動信号に応じて回転駆動し、そして、この支持板角度モータ２７ｃの回転駆動に応じて支持板４２ｃが回動し、当該支持板４２ｃの回動棒４１に対する回動角度が変化する。なお、この駆動信号の送信は、上記算出された回転時間の間、継続される（すなわち、支持板角度モータ２７ｃは、当該回転時間が経過したときに停止する）。
【００６８】
そして、制御回路３０は、支持板角度センサ３６が検知した回動角度を抽出し、当該抽出した回動角度を表示装置５に表示させる（図９（ｃ）参照。同図においては、支持板４２ｃの回動棒４１に対する回動角度が−５．０となった旨が表示されている）。
【００６９】
また、制御回路３０は、当該支持板４２ｃの回動棒４１に対する回動角度と、連結部材４０自体の傾斜角度とを基にして、パチンコ遊技機１２ｃの傾斜角度を算出し、当該算出した傾斜角度を表示装置５に表示させる（図９（ｃ）参照。同図においては、パチンコ遊技機１２ｃの傾斜角度が−２．０となった旨が表示されている）。
【００７０】
このように、本実施の形態では、支持板に支持されるパチンコ遊技機の連結部材４０に対する傾斜角度、すなわち、パチンコ遊技機を支持する支持板の回動棒４１に対する回動角度を、個別に調整することができる。これによれば、各パチンコ遊技機の入賞率の微調整を効率的に行うことができる。
【００７１】
また、制御回路３０は、連結部材４０、支持板４２ａ〜４２ｆ、パチンコ遊技機１２ａ〜１２ｆ等の傾斜角度等が変化したタイミングや、操作パネル６もしくは各パチンコ遊技機にて所定の操作が行われた場合等に、当該連結部材４０の傾斜角度、支持板４２ａ〜４２ｆの回動棒４１に対する回動角度、パチンコ遊技機１２ａ〜１２ｆの傾斜角度等を示す情報をパチンコ遊技機１２ａ〜１２ｆに送信するようになっていてもよい。
【００７２】
この場合、各パチンコ遊技機の制御回路１４は、管理コンピュータ４の制御回路３０から上記連結部材４０の傾斜角度等を示す情報が送信されたときに、当該情報を遊技機表示装置１３に表示させるための制御を行う。
【００７３】
これによれば、管理コンピュータ４の表示装置５に表示される傾斜角度（連結部材４０の傾斜角度、支持板４２ａ〜４２ｆの回動棒４１に対する回動角度、パチンコ遊技機１２ａ〜１２ｆの傾斜角度等（図９参照））が、各パチンコ遊技機の遊技機表示装置１３にも表示されるようになる。
【００７４】
この場合、パチンコ遊技機における傾斜角度等を、当該パチンコ遊技機における遊技機表示装置１３にて視覚的に確認することができるので、各パチンコ遊技機の入賞率の調整をより効率的に行うことができる。
【００７５】
以上、本発明の実施の形態を説明したが、これは本発明を具体的に例示したに過ぎず、特に本発明を限定するものではない。
【００７６】
例えば、管理コンピュータ４における表示装置５やパチンコ遊技機１２ａ〜１２ｆにおける遊技機表示装置１３には液晶パネルを用いていたが、これに限られず、例えばＣＲＴ（陰極線管）あるいはプラズマディスプレイ等を用いてもよい。
【００７７】
また、上記した実施の形態においては、管理コンピュータ４が各遊技島設備にそれぞれ設けられる例を示したが、これに限られず、当該管理コンピュータ４を管理室等に配置するようにしてもよい。
【００７８】
さらに、各指示板４２ａ〜４２ｆは、支持板角度モータ２７ａ〜２７ｆの回転駆動により、回動するようになっていたが、これに限られず、例えば、人力によって回動するようになっていてもよい。
【００７９】
また、連結部材４０は、回動棒４１（図６（ａ））を貫通孔２８に挿入し、次に、支持板４２ａ〜４２ｆを当該回動棒４１に回動可能に取り付けることによって、設置枠２０に設置されるようになっていてたが、これに限られず、貫通孔２８の大きさを、支持板が取り付けられた回動棒４１を挿入可能な程度にまで広げ、そして、予め支持板４２ａ〜４２ｆが取り付けられている回動棒４１をそのまま貫通孔２８に挿入することによって、連結部材４０を設置枠２０に設置するようにしてもよい。
【００８０】
以上説明したように、本実施の形態によれば、遊技島設備には、列設された複数のパチンコ遊技機１２ａ〜１２ｆを連結する連結部材４０の傾斜角度を前後方向に調整可能な角度モータ（調整機構）２６が備えられている。
【００８１】
この場合、当該角度モータ２６により連結部材４０の傾斜角度を調整するのみで、複数のパチンコ遊技機１２ａ〜１２ｆの傾斜角度を一気に調整することができるので、遊技島設備内のパチンコ遊技機を一台ずつ個別に調整する手間を省くことができ、複数のパチンコ遊技機の入賞率の調整を効率的に行うことが可能となる。
【００８２】
また、本実施の形態によれば、連結部材４０に連結された各パチンコ遊技機１２ａ〜１２ｆの当該連結部材４０に対する傾斜角度は、当該パチンコ遊技機１２ａ〜１２ｆを支持する支持板４２ａ〜４２ｆの回動棒４１に対する回動角度を調整することにより、個別に調整することが可能であるので、各パチンコ遊技機の入賞率の微調整を効率的に行うことができる。
【００８３】
さらに、本実施の形態によれば、連結部材４０の傾斜角度を、各遊技島設備にそれぞれ対応して設けられた管理コンピュータ４の表示装置（表示部）５にて視覚的に確認することができるので、パチンコ遊技機の入賞率の調整をより効率的に行うことができる。
【００８４】
また、本実施の形態によれば、連結部材４０に連結されたパチンコ遊技機における傾斜角度を、表示装置５にて視覚的に確認することができるので、パチンコ遊技機の入賞率の調整をより効率的に行うことができる。
【００８５】
さらに、本実施の形態によれば、連結部材４０に対する各パチンコ遊技機の傾斜角度（すなわち、パチンコ遊技機を支持する支持板の回動棒４１に対する回動角度）を、表示装置５にて視覚的に確認することができるので、各パチンコ遊技機の入賞率の微調整をより効率的に行うことができる。
【００８６】
また、本実施の形態によれば、連結部材４０に連結されたパチンコ遊技機における傾斜角度を、当該パチンコ遊技機における遊技機表示装置（遊技機表示部）１３にて視覚的に確認することができるので、各遊技機の入賞率の調整をより効率的に行うことができる。
【産業上の利用可能性】
【００８７】
以上の説明においては、本発明をパチンコ遊技機が列設された遊技島設備に適用した場合が説明されているが、本発明はこれに限定されるものではなく、パチスロ機、雀球、スマートボールあるいはゲームセンターに設置された各種ゲーム機など、種々の遊技機を列設した遊技島設備に適用することが可能である。
【図面の簡単な説明】
【００８８】
【図１】本実施の形態に係る遊技島設備を設置されるパチンコ遊技場の概略平面図である。
【図２】本実施の形態に係る遊技島設備を示す斜視図である。
【図３】図２に示す遊技島設備からパチンコ遊技機を取り除いた状態を示す斜視図である。
【図４】図３に示す連結部材の傾斜角度を変更させた状態を示す斜視図である。
【図５】図４に示す支持板のうち一部の回動棒に対する回動角度を変更させた状態を示す斜視図である。
【図６】（ａ）は本実施の形態に係る連結部材の回動棒を示す斜視図、（ｂ）は本実施の形態に係る連結部材を示す斜視図である。
【図７】管理コンピュータと連結部材との関係を示すブロック図である。
【図８】支持板に取り付けられたパチンコ遊技機の断面図である。
【図９】表示装置の表示態様の一例を示す説明図である。
【符号の説明】
【００８９】
１  パチンコ遊技場
２ａ〜２ｆ  遊技島設備
４  管理コンピュータ
５  表示装置（表示部）
６  操作パネル
７  腰板
８  カウンター台
９  幕板
１０  景品交換所
１１  呼出装置
１２ａ〜１２ｆ  パチンコ遊技機
１３  遊技機表示装置（遊技機表示部）
１４  制御回路
２０  設置枠
２６  角度モータ（調整機構）
２７ａ〜２７ｆ  支持板角度モータ
２８  貫通孔
３０  制御回路
３４ａ〜３４ｆ  支持板角度センサ
４０  連結部材
４１  回動棒
４２ａ〜４２ｆ  支持板
４３  表面
４４  裏面
８１  台間玉貸機
【図１】
2008099839.tif 000003
【図２】
2008099839.tif 000004
【図３】
2008099839.tif 000005
【図４】
2008099839.tif 000006
【図５】
2008099839.tif 000007
【図６】
2008099839.tif 000008
【図７】
2008099839.tif 000009
【図８】
2008099839.tif 000010
【図９】
2008099839.tif 000011